(57)【特許請求の範囲】
【請求項１】
ＡＶデータとそのＡＶデータを管理するＡＶデータ管理情報とで構成されるデータを複製するＡＶデータ複製装置であって、オリジナルのＡＶデータ管理情報ファイルを読み込むＡＶデータ管理情報ファイル読みこみ手段と、複製したいＰＧのＩＤを設定する追記ＰＧＩＤ設定手段と、複製したいＰＧの情報を取得する追記ＰＧ情報取得手段と、複製したいＰＧの再生で必要となるＡＶデータを読み込むＡＶデータ読みこみ手段と、読み込んだＡＶデータを出力先のディスクに追記していくＡＶデータ追記手段と、ＰＧ情報を持たないＡＶデータ管理情報を作成するＰＧなしＡＶデータ管理情報作成手段と、ＡＶデータ管理情報に追記するＰＧ情報を新たに追加するＰＧ情報追記手段と、ＰＧの追記により管理しているアドレス情報のずれを補正するアドレス情報補正手段と、ＡＶデータ管理情報を出力先のディスクに書きこむＡＶデータ管理情報ファイル書きこみ手段とを備えたことを特徴とするＡＶデータ複製装置。
【請求項２】
ＰＧ情報追記手段が、追記するＰＧ情報を構成する全てのＣｅｌｌ情報を取得する追記Ｃｅｌｌ情報取得手段と、Ｃｅｌｌ情報が参照するＡＶデータの属性情報をＡＶデータ管理情報に追記するＡＶデータ属性情報追記手段と、ＰＧ情報を構成するＣｅｌｌ情報をＡＶデータ管理情報に追記するＣｅｌｌ情報追記手段と、Ｃｅｌｌ情報追記手段により追記したＣｅｌｌ情報から構成される新しいＰＧ情報を追記してＰＧ情報管理部の補正を行うＰＧ情報管理部補正手段とを備えたことを特徴とする請求項１記載のＡＶデータ複製装置。
【請求項３】
追記Ｃｅｌｌ情報取得手段が、Ｃｅｌｌ情報に各シーンの位置を示す時間情報をマーカとして保持するマーカ情報が付加されている場合にそのマーカ情報を取得し、必要に応じてＣｅｌｌ情報にマーカ情報を追記するマーカ情報追記手段と、マーカを付加されたＣｅｌｌ情報をＡＶデータ管理情報に追記するＣｅｌｌ情報追記手段とを備えたことを特徴とする請求項２記載のＡＶデータ複製装置。
【請求項４】
Ｃｅｌｌ情報追記手段が、追記するＣｅｌｌ情報をＡＶデータ管理情報に追記すると共に、追記したＣｅｌｌ情報をリストとして保持し、ＰＧ情報管理部補正手段が、ＰＧの代表シーンを示す代表画像位置情報を持つ場合にその代表画像位置情報を取得し、必要に応じて追記したＣｅｌｌ情報のリストを参照して追記するＰＧの代表画像位置の補正を行う代表画像位置補正手段とを備えたことを特徴とする請求項２または請求項３記載のＡＶデータ複製装置。
【請求項５】
追記するＰＧがプログラムのジャンルや説明などの情報を記載するＩＴＥＭ＿ＴＥＸＴ情報を持つ場合にそのＩＴＥＭ＿ＴＥＸＴ情報を取得する追記ＩＴＥＭ＿ＴＥＸＴ情報取得手段と、必要に応じてＡＶデータ管理情報にＩＴＥＭ＿ＴＥＸＴ情報を追記するＩＴＥＭ＿ＴＥＸＴ情報追記手段とを備え、ＰＧ情報管理部補正手段は追記したＩＴＥＭ＿ＴＥＸＴ情報の位置を示すＩＤ情報を元に、追記したＰＧのＩＴＥＭ＿ＴＥＸＴ情報へのリンク情報を修正する機能を備えたことを特徴とする請求項２から４記載のＡＶデータ複製装置。
【請求項６】
追記ＰＧ設定手段が、ＡＶデータ管理情報に含まれるＰＧを全て追記するために１から順番にＰＧの番号を設定し、追記ＰＧ情報取得手段が、指定された番号のＰＧ情報を取得して先にＰＧを追記したＡＶデータ管理情報に更に追記していき、追記したＰＧの番号とＰＧの総数を比較してＰＧの番号がＰＧの総数を超えた場合には処理を終了し、超えていない場合はＰＧの番号を１増やして追記するＰＧの番号を設定する追記ＰＧ設定手段とを備えたことを特徴とする請求項１から５記載のＡＶデータ複製装置。
【請求項７】
追記ＰＧ情報取得手段が、追記するＡＶデータのサイズをあらかじめ取得しておき、追記先のディスクの残容量を取得するディスク残容量取得手段と、ディスク残容量とＡＶデータのサイズを比較し、ディスク残容量が十分に無い場合は処理を終了し、十分にある場合にはＰＧの追記処理を続行する書きこみＡＶデータサイズ比較手段とを備えたことを特徴とする請求項１から６記載のＡＶデータ複製装置。
【請求項８】
ＡＶデータとそのＡＶデータを管理するＡＶデータ管理情報とで構成されるデータを追記先のディスクに追記して複製するＡＶデータ複製装置であって、オリジナルのＡＶデータ管理情報ファイルを読み込むＡＶデータ管理情報ファイル読みこみ手段と、追記したいＰＧのＩＤを設定する追記ＰＧＩＤ設定手段と、追記したいＰＧの情報を取得する追記ＰＧ情報取得手段と、追記したいＰＧの再生で必要となるＡＶデータを読み込むＡＶデータ読みこみ手段と、読み込んだＡＶデータを追記先のディスクに追記していくＡＶデータ追記手段と、追記先のディスクに記録されているＡＶデータ管理情報ファイルを読みこむＡＶデータ管理情報ファイル読みこみ手段と、ＡＶデータ管理情報に追記するＰＧ情報を新たに追加するＰＧ情報追記手段と、ＰＧの追記により管理しているアドレス情報のずれを補正するアドレス情報補正手段と、ＡＶデータ管理情報を追記先のディスクに書きこむＡＶデータ管理情報ファイル書きこみ手段とを備えたことを特徴とするＡＶデータ複製装置。
【請求項９】
ＰＧ情報追記手段が、追記するＰＧ情報を構成する全てのＣｅｌｌ情報を取得する追記Ｃｅｌｌ情報取得手段と、Ｃｅｌｌ情報が参照するＡＶデータの属性情報をＡＶデータ管理情報に追記するＡＶデータ属性情報追記手段と、ＰＧ情報を構成するＣｅｌｌ情報をＡＶデータ管理情報に追記するＣｅｌｌ情報追記手段と、Ｃｅｌｌ情報追記手段により追記したＣｅｌｌ情報から構成される新しいＰＧ情報を追記してＰＧ情報管理部の補正を行うＰＧ情報管理部補正手段とを備えたことを特徴とする請求項８記載のＡＶデータ複製装置。
【請求項１０】
追記Ｃｅｌｌ情報取得手段が、Ｃｅｌｌ情報に各シーンの位置を示す時間情報をマーカとして保持するマーカ情報が付加されている場合にそのマーカ情報を取得し、必要に応じてＣｅｌｌ情報にマーカ情報を追記するマーカ情報追記手段と、マーカを付加されたＣｅｌｌ情報をＡＶデータ管理情報に追記するＣｅｌｌ情報追記手段とを備えたことを特徴とする請求項９記載のＡＶデータ複製装置。
【請求項１１】
Ｃｅｌｌ情報追記手段が、追記するＣｅｌｌ情報をＡＶデータ管理情報に追記すると共に、追記したＣｅｌｌ情報をリストとして保持し、ＰＧ情報管理部補正手段が、ＰＧの代表シーンを示す代表画像位置情報を持つ場合にその代表画像位置情報を取得し、必要に応じて追記したＣｅｌｌ情報のリストを参照して追記するＰＧの代表画像位置の補正を行う代表画像位置補正手段とを備えたことを特徴とする請求項９または請求項１０記載のＡＶデータ複製装置。
【請求項１２】
追記するＰＧがジャンルや説明などの情報を記載するＩＴＥＭ＿ＴＥＸＴ情報を持つ場合にそのＩＴＥＭ＿ＴＥＸＴ情報を取得する追記ＩＴＥＭ＿ＴＥＸＴ情報取得手段と、必要に応じてＡＶデータ管理情報にＩＴＥＭ＿ＴＥＸＴ情報を追記するＩＴＥＭ＿ＴＥＸＴ情報追記手段とを備え、ＰＧ情報管理部補正手段は追記したＩＴＥＭ＿ＴＥＸＴ情報の位置を示すＩＤ情報を元に、追記したＰＧのＩＴＥＭ＿ＴＥＸＴ情報へのリンク情報を修正する機能を備えたことを特徴とする請求項９から１１記載のＡＶデータ複製装置。
【請求項１３】
追記ＰＧ設定手段が、ＡＶデータ管理情報に含まれるＰＧを全て追記するために１から順番にＰＧの番号を設定し、追記ＰＧ情報取得手段が、指定された番号のＰＧ情報を取得して先にＰＧを追記したＡＶデータ管理情報に更に追記していき、追記したＰＧの番号とＰＧの総数を比較してＰＧの番号がＰＧの総数を超えた場合には処理を終了し、超えていない場合はＰＧの番号を１増やして追記するＰＧの番号を設定する追記ＰＧ設定手段とを備えたことを特徴とする請求項８から１２記載のＡＶデータ複製装置。
【請求項１４】
追記ＰＧ情報取得手段が、追記するＡＶデータのサイズをあらかじめ取得しておき、追記先のディスクの残容量を取得するディスク残容量取得手段と、ディスク残容量とＡＶデータのサイズを比較し、ディスク残容量が十分に無い場合は処理を終了し、十分にある場合にはＰＧの追記処理を続行する書きこみＡＶデータサイズ比較手段とを備えたことを特徴とする請求項８から１３記載のＡＶデータ複製装置。
【発明の詳細な説明】
【０００１】
【発明の属する技術分野】
本発明は、ＡＶデータとそのＡＶデータを管理するＡＶデータ管理情報から構成されるディスクイメージデータにおいて、管理情報からＡＶデータを再生する上で論理的意味のある管理情報の単位でデータのコピーや追加のための編集を行う、ＡＶデータ複製装置に関するものである。
【０００２】
例えば、光ディスクなどのディスクメディアにＡＶデータを記録するための規格であるＶＲ（ビデオレコーディング）規格に従ったＡＶデータの管理情報の論理的意味のあるＰＧ（プログラム）管理情報の単位で、編集を可能とする。
【０００３】
本発明で対象とするＡＶデータ及びＡＶデータ管理情報の論理構成の概要を図１０及び図１１に示す。
【０００４】
図１０において、１００１はディスク上のＡＶデータ及びディスクに関する情報を有するＡＶデータ管理情報ファイル構成であり、ＡＶデータ管理情報ファイル構成は図に示すように、主にディスク全体の情報をまとめたディスク情報管理部、ＡＶデータの属性やＡＶデータのリンク情報をまとめたＡＶデータ属性管理部、ＡＶデータを組み合わせて再生の順序などのプログラム情報をまとめたＰＧ情報管理部、及びその他データ管理部で構成されており、１００３は前記ＰＧ管理情報部から実際に再生するストリームの属性を参照するためのＡＶデータ属性リンク情報であり、１００２はディスク上の動画や音声や静止画などのストリームで構成されるＡＶデータファイル構成であり、１００４は前記ＡＶデータ属性管理部から前記ＡＶデータファイル構成１００２中のＡＶデータストリームを参照するためのＡＶデータストリームリンク情報である。
【０００５】
図１１において、１００５は前記ＰＧ情報管理部とその他データ管理部を抜き出したＰＧ情報及びその他データ管理部構成であり、図に示すようにＰＧ情報管理部はその管理情報とプログラムの概要を示すＰＧ情報と実際の再生するストリームを参照するためのＣｅｌｌ情報で構成されており、１００６はＣｅｌｌ属性情報のみを有する単純なＣｅｌｌ属性情報であり、１００７はＣｅｌｌ情報と再生位置の任意の位置をマーカとして保持する領域を有するＣｅｌｌ属性情報及びマーカ管理情報であり、１００９は前記ＰＧ情報からその他データ管理部中のＩＴＥＭ＿ＴＥＸＴを参照するためのリンク情報であり、１００８はＰＧを説明するための付加情報を記述しているＩＴＥＭ＿ＴＥＸＴ情報である。
【０００６】
【従来の技術】
以下に、従来のＡＶデータ複製装置について説明する。
【０００７】
図１２は、オリジナルのディスク上に記録されているＡＶデータとＡＶデータを管理するＡＶデータ管理情報を別のディスクへ複製するＡＶデータ複製装置の、従来の手順の概要を示したブロック図である。
【０００８】
図１２において、１１はオリジナルディスクに記録されているオリジナルＡＶデータ管理情報ファイルであり、１１ａは前記１１を複製した複製後ＡＶデータ管理情報ファイルであり、１５はオリジナルディスクに記録されているオリジナルＡＶデータファイルであり、１５ａは前記オリジナルＡＶデータファイル１５を複製した複製後ＡＶデータファイルである。
【０００９】
図１２では、ＡＶデータとＡＶデータ管理情報を複製するために、その内部構成を意識することなく、全ての情報をそのまま複製先のディスクへ複製している様子を表している。
【００１０】
図１３は、オリジナルディスク上に記録されているＡＶデータとＡＶデータを管理するＡＶデータ管理情報を別のディスクへ複製するＡＶデータ複製装置の、従来の手順の一例を示したブロック図である。
【００１１】
図１３において、１１はオリジナルのディスクに記録されているオリジナルＡＶデータ管理情報ファイルであり、２１はオリジナルＡＶデータ管理情報ファイルを読み込むＡＶデータ管理情報ファイル読みこみ手段であり、２０１はメモリ上に読み込んだ読み込みＡＶデータ管理情報であり、２９は出力先のディスクにＡＶデータ管理情報を書きこむＡＶデータ管理情報ファイル書きこみ手段であり、２１０はディスクに書きこまれる書きこみＡＶデータ管理情報であり、１１ａは出力先のディスクに書きこまれた複製後ＡＶデータ管理情報ファイルであり、１５はオリジナルのディスクに記録されているオリジナルＡＶデータファイルであり、２４はオリジナルＡＶデータファイルを読み込むＡＶデータ読みこみ手段であり、２０４はメモリ上に読み込んだ読み込みＡＶデータであり、２５は出力先のディスクにＡＶデータを追記するＡＶデータ追記手段であり、２０５はディスクに書きこまれる書きこみＡＶデータであり、１５ａは出力先のディスクに書きこまれた複製後ＡＶデータファイルである。
【００１２】
以上のように構成された、ＡＶデータ複製装置において、以下その動作について図１３を用いて説明する。
【００１３】
ＡＶデータ管理情報ファイル読みこみ手段２１によりメモリ上に読み込まれたオリジナルディスク上のＡＶデータ管理情報を、ＡＶデータ管理情報ファイル書きこみ手段２９により出力先のディスクに書きこんで、オリジナルＡＶデータ管理情報ファイル１１の複製である複製後ＡＶデータ管理情報ファイル１１ａを作成すると同時に、ＡＶデータ読みこみ手段２４によりメモリ上に読み込まれたオリジナルディスク上のＡＶデータを、ＡＶデータ追記手段２５により出力先のディスクに書きこんで、オリジナルＡＶデータファイル１５の複製である複製後ＡＶデータファイル１５ａを作成することで、オリジナルディスク上のファイルと同じＡＶデータファイル及びＡＶデータ管理情報ファイルを有する複製ディスクを作成する。
【００１４】
【発明が解決しようとする課題】
しかしながら上記の従来の構成では、オリジナルディスク上の必要なＡＶデータと不要なＡＶデータの区別無く、全ての情報を複製してしまうので、複製に要するディスクの容量が大きくなってしまい、複製に要する時間もそれに応じて長くなる等の問題を有している。
【００１５】
また、データの構成を解析しないので、出力先のディスクに既にデータがある場合に前のデータを上書きしてしまうので、前のデータを残して新たにＡＶデータの追記という処理は行えないという問題も有している。
【００１６】
本発明は、上記従来の問題を解決するためのもので、オリジナルディスク上の必要とするＡＶデータのみを選択して追記することで、複製に要するディスクの容量も時間も減らすことを可能とし、また出力先のディスクにデータがある場合には前のデータを残してＡＶデータを追記することを可能とする、ＡＶデータ複製装置を提供することを目的としている。
【００１７】
【課題を解決するための手段】
この目的を達成するために本発明のＡＶデータ複製装置は、ＡＶデータとそのＡＶデータを管理するＡＶデータ管理情報とで構成されるデータを複製するＡＶデータ複製装置であって、オリジナルのＡＶデータ管理情報ファイルを読み込むＡＶデータ管理情報ファイル読みこみ手段と、複製したいＰＧのＩＤを設定する追記ＰＧＩＤ設定手段と、複製したいＰＧの情報を取得する追記ＰＧ情報取得手段と、複製したいＰＧの再生で必要となるＡＶデータを読み込むＡＶデータ読みこみ手段と、読み込んだＡＶデータを出力先のディスクに追記していくＡＶデータ追記手段と、ＰＧ情報を持たないＡＶデータ管理情報を作成するＰＧなしＡＶデータ管理情報作成手段と、ＡＶデータ管理情報に追記するＰＧ情報を新たに追加するＰＧ情報追記手段と、ＰＧの追記により管理しているアドレス情報のずれを補正するアドレス情報補正手段と、ＡＶデータ管理情報を出力先のディスクに書きこむＡＶデータ管理情報ファイル書きこみ手段とで構成されていることを特徴としている。
【００１８】
これにより、オリジナルのディスク上の任意のＰＧを選択して、そのＰＧの再生に必要となるＡＶデータだけを、別のディスクに複製を作成することが可能である。
【００１９】
【発明の実施の形態】
本発明に係る請求項１のＡＶデータ複製装置は、ＡＶデータとそのＡＶデータを管理するＡＶデータ管理情報とで構成されるデータを複製するＡＶデータ複製装置であって、オリジナルのＡＶデータ管理情報ファイルを読み込むＡＶデータ管理情報ファイル読みこみ手段と、複製したいＰＧのＩＤを設定する追記ＰＧＩＤ設定手段と、複製したいＰＧの情報を取得する追記ＰＧ情報取得手段と、複製したいＰＧの再生で必要となるＡＶデータを読み込むＡＶデータ読みこみ手段と、読み込んだＡＶデータを出力先のディスクに追記していくＡＶデータ追記手段と、ＰＧ情報を持たないＡＶデータ管理情報を作成するＰＧなしＡＶデータ管理情報作成手段と、ＡＶデータ管理情報に追記するＰＧ情報を新たに追加するＰＧ情報追記手段と、ＰＧの追記により管理しているアドレス情報のずれを補正するアドレス情報補正手段と、ＡＶデータ管理情報を出力先のディスクに書きこむＡＶデータ管理情報ファイル書きこみ手段とを備えたことを特徴としている。
【００２０】
このＡＶデータ複製装置は、オリジナルのディスク上の任意のＰＧを選択して、そのＰＧの再生に必要なＡＶデータだけを、別のディスクに複製を作成することが可能である。
【００２１】
本発明に係る請求項２のＡＶデータ複製装置は、上記請求項１において、ＰＧ情報追記手段が、追記するＰＧ情報を構成する全てのＣｅｌｌ情報を取得する追記Ｃｅｌｌ情報取得手段と、Ｃｅｌｌ情報が参照するＡＶデータの属性情報をＡＶデータ管理情報に追記するＡＶデータ属性情報追記手段と、ＰＧ情報を構成するＣｅｌｌ情報をＡＶデータ管理情報に追記するＣｅｌｌ情報追記手段と、Ｃｅｌｌ情報追記手段により追記したＣｅｌｌ情報から構成される新しいＰＧ情報を追記してＰＧ情報管理部の補正を行うＰＧ情報管理部補正手段とを備えたことを特徴とする。
【００２２】
このＡＶデータ複製装置は、複製するＰＧのＣｅｌｌの構成を解析し、複数のＣｅｌｌで構成される場合にでも正しく、別のディスクに複製を作成することが可能である。
【００２３】
本発明に係る請求項３のＡＶデータ複製装置は、上記請求項２において、追記Ｃｅｌｌ情報取得手段が、Ｃｅｌｌ情報に各シーンの位置を示す時間情報をマーカとして保持するマーカ情報が付加されている場合にそのマーカ情報を取得し、必要に応じてＣｅｌｌ情報にマーカ情報を追記するマーカ情報追記手段と、マーカを付加されたＣｅｌｌ情報をＡＶデータ管理情報に追記するＣｅｌｌ情報追記手段とを備えたことを特徴とする。
【００２４】
このＡＶデータ複製装置は、複製するＰＧのＣｅｌｌの構成を解析し、Ｃｅｌｌ情報にシーンの時間情報を示すマーカ情報が含まれる場合にでも正しく、別のディスクに複製を作成することが可能である。
【００２５】
本発明に係る請求項４のＡＶデータ複製装置は、上記請求項２において、Ｃｅｌｌ情報追記手段が、追記するＣｅｌｌ情報をＡＶデータ管理情報に追記すると共に、追記したＣｅｌｌ情報をリストとして保持し、ＰＧ情報管理部補正手段が、ＰＧの代表シーンを示す代表画像位置情報を持つ場合にその代表画像位置情報を取得し、必要に応じて追記したＣｅｌｌ情報のリストを参照して追記するＰＧの代表画像位置の補正を行う代表画像位置補正手段とを備えたことを特徴とする。
【００２６】
このＡＶデータ複製装置は、複製するＰＧに設定されている代表画像の位置情報を解析し、複製後のＰＧの代表画像の位置情報を補正して、別のディスクに複製を作成することが可能である。
【００２７】
本発明に係る請求項５のＡＶデータ複製装置は、上記請求項２において、追記するＰＧがプログラムのジャンルや説明などの情報を記載するＩＴＥＭ＿ＴＥＸＴ情報を持つ場合にそのＩＴＥＭ＿ＴＥＸＴ情報を取得する追記ＩＴＥＭ＿ＴＥＸＴ情報取得手段と、必要に応じてＡＶデータ管理情報にＩＴＥＭ＿ＴＥＸＴ情報を追記するＩＴＥＭ＿ＴＥＸＴ情報追記手段とを備え、ＰＧ情報管理部補正手段は追記したＩＴＥＭ＿ＴＥＸＴ情報の位置を示すＩＤ情報を元に、追記したＰＧのＩＴＥＭ＿ＴＥＸＴ情報へのリンク情報を修正する機能とを備えたことを特徴とする。
【００２８】
このＡＶデータ複製装置は、複製するＰＧに設定されているジャンルやコメントなどのＩＴＥＭ＿ＴＥＸＴ情報を解析し、複製後のＰＧのＩＴＥＭ＿ＴＥＸＴ情報を追記後ＩＴＥＭ＿ＴＥＸＴ情報への参照を補正して、別のディスクに複製を作成することが可能である。
【００２９】
本発明に係る請求項６のＡＶデータ複製装置は、上記請求項１において、追記ＰＧ設定手段が、ＡＶデータ管理情報に含まれるＰＧを全て追記するために１から順番にＰＧの番号を設定し、追記ＰＧ情報取得手段が、指定された番号のＰＧ情報を取得して先にＰＧを追記したＡＶデータ管理情報に更に追記していき、追記したＰＧの番号とＰＧの総数を比較してＰＧの番号がＰＧの総数を超えた場合には処理を終了し、超えていない場合はＰＧの番号を１増やして追記するＰＧの番号を設定する追記ＰＧ設定手段とを備えたことを特徴とする。
【００３０】
このＡＶデータ複製装置は、繰り返しＰＧの追記を繰り返すことで、オリジナルディスク中の全てのＰＧをまとめて、別のディスクに複製を作成することが可能である。
【００３１】
本発明に係る請求項７のＡＶデータ複製装置は、上記請求項１において、追記ＰＧ情報取得手段が、追記するＡＶデータのサイズをあらかじめ取得しておき、追記先のディスクの残容量を取得するディスク残容量取得手段と、ディスク残容量とＡＶデータのサイズを比較し、ディスク残容量が十分に無い場合は処理を終了し、十分にある場合にはＰＧの追記処理を続行する書きこみＡＶデータサイズ比較手段とを備えたことを特徴とする。
【００３２】
このＡＶデータ複製装置は、ＰＧの複製を行う前にディスクの残容量を確認してから複製を行うようにすることで、無駄な複製処理を行わず、処理の時間を短縮することが可能である。
【００３３】
本発明に係る請求項８のＡＶデータ複製装置は、ＡＶデータとそのＡＶデータを管理するＡＶデータ管理情報とで構成されるデータを追記先のディスクに追記して複製するＡＶデータ複製装置であって、オリジナルのＡＶデータ管理情報ファイルを読み込むＡＶデータ管理情報ファイル読みこみ手段と、追記したいＰＧのＩＤを設定する追記ＰＧＩＤ設定手段と、追記したいＰＧの情報を取得する追記ＰＧ情報取得手段と、追記したいＰＧの再生で必要となるＡＶデータを読み込むＡＶデータ読みこみ手段と、読み込んだＡＶデータを追記先のディスクに追記していくＡＶデータ追記手段と、追記先のディスクに記録されているＡＶデータ管理情報ファイルを読みこむＡＶデータ管理情報ファイル読みこみ手段と、ＡＶデータ管理情報に追記するＰＧ情報を新たに追加するＰＧ情報追記手段と、ＰＧの追記により管理しているアドレス情報のずれを補正するアドレス情報補正手段と、ＡＶデータ管理情報を追記先のディスクに書きこむＡＶデータ管理情報ファイル書きこみ手段とを備えたことを特徴としている。
【００３４】
このＡＶデータ複製装置は、出力先のディスクに既にデータがあって、オリジナルのディスク上の任意のＰＧを選択して、そのＰＧの再生に必要なＡＶデータだけを、出力先のディスクに追記することが可能である。
【００３５】
本発明に係る請求項９のＡＶデータ複製装置は、上記請求項８において、ＰＧ情報追記手段が、追記するＰＧ情報を構成する全てのＣｅｌｌ情報を取得する追記Ｃｅｌｌ情報取得手段と、Ｃｅｌｌ情報が参照するＡＶデータの属性情報をＡＶデータ管理情報に追記するＡＶデータ属性情報追記手段と、ＰＧ情報を構成するＣｅｌｌ情報をＡＶデータ管理情報に追記するＣｅｌｌ情報追記手段と、Ｃｅｌｌ情報追記手段により追記したＣｅｌｌ情報から構成される新しいＰＧ情報を追記してＰＧ情報管理部の補正を行うＰＧ情報管理部補正手段とを備えたことを特徴とする。
【００３６】
このＡＶデータ複製装置は、出力先のディスクに既にデータがあって、複製するＰＧのＣｅｌｌの構成を解析し、複数のＣｅｌｌで構成される場合にでも正しく、出力先のディスクに追記することが可能である。
【００３７】
本発明に係る請求項１０のＡＶデータ複製装置は、上記請求項９において、追記Ｃｅｌｌ情報取得手段が、Ｃｅｌｌ情報に各シーンの位置を示す時間情報をマーカとして保持するマーカ情報が付加されている場合にそのマーカ情報を取得し、必要に応じてＣｅｌｌ情報にマーカ情報を追記するマーカ情報追記手段と、マーカを付加されたＣｅｌｌ情報をＡＶデータ管理情報に追記するＣｅｌｌ情報追記手段とを備えたことを特徴とする。
【００３８】
このＡＶデータ複製装置は、出力先のディスクに既にデータがあって、複製するＰＧのＣｅｌｌの構成を解析し、Ｃｅｌｌ情報にシーンの時間情報を示すマーカ情報が含まれる場合にでも正しく、出力先のディスクに追記することが可能である。
【００３９】
本発明に係る請求項１１のＡＶデータ複製装置は、上記請求項９において、Ｃｅｌｌ情報追記手段が、追記するＣｅｌｌ情報をＡＶデータ管理情報に追記すると共に、追記したＣｅｌｌ情報をリストとして保持し、ＰＧ情報管理部補正手段が、ＰＧの代表シーンを示す代表画像位置情報を持つ場合にその代表画像位置情報を取得し、必要に応じて追記したＣｅｌｌ情報のリストを参照して追記するＰＧの代表画像位置の補正を行う代表画像位置補正手段とを備えたことを特徴とする。
【００４０】
このＡＶデータ複製装置は、出力先のディスクに既にデータがあって、複製するＰＧに設定されている代表画像の位置情報を解析し、複製後のＰＧの代表画像の位置情報を補正して、出力先のディスクに追記することが可能である。
【００４１】
本発明に係る請求項１２のＡＶデータ複製装置は、上記請求項９において、追記するＰＧがジャンルや説明などの情報を記載するＩＴＥＭ＿ＴＥＸＴ情報を持つ場合にそのＩＴＥＭ＿ＴＥＸＴ情報を取得する追記ＩＴＥＭ＿ＴＥＸＴ情報取得手段と、必要に応じてＡＶデータ管理情報にＩＴＥＭ＿ＴＥＸＴ情報を追記するＩＴＥＭ＿ＴＥＸＴ情報追記手段とを備え、ＰＧ情報管理部補正手段は追記したＩＴＥＭ＿ＴＥＸＴ情報の位置を示すＩＤ情報を元に、追記したＰＧのＩＴＥＭ＿ＴＥＸＴ情報へのリンク情報を修正する機能とを備えたことを特徴とする。
【００４２】
このＡＶデータ複製装置は、出力先のディスクに既にデータがあって、複製するＰＧに設定されているジャンルやコメントなどのＩＴＥＭ＿ＴＥＸＴ情報を解析し、複製後のＰＧのＩＴＥＭ＿ＴＥＸＴ情報を追記後ＩＴＥＭ＿ＴＥＸＴ情報への参照を補正して、出力先のディスクに追記することが可能である。
【００４３】
本発明に係る請求項１３のＡＶデータ複製装置は、上記請求項８において、追記ＰＧ設定手段が、ＡＶデータ管理情報に含まれるＰＧを全て追記するために１から順番にＰＧの番号を設定し、追記ＰＧ情報取得手段が、指定された番号のＰＧ情報を取得して先にＰＧを追記したＡＶデータ管理情報に更に追記していき、追記したＰＧの番号とＰＧの総数を比較してＰＧの番号がＰＧの総数を超えた場合には処理を終了し、超えていない場合はＰＧの番号を１増やして追記するＰＧの番号を設定する追記ＰＧ設定手段とを備えたことを特徴とする。
【００４４】
このＡＶデータ複製装置は、出力先のディスクに既にデータがあって、繰り返しＰＧの追記を繰り返すことで、オリジナルディスク中の全てのＰＧをまとめて、出力先のディスクに追記することが可能である。
【００４５】
本発明に係る請求項１４のＡＶデータ複製装置は、上記請求項８において、追記ＰＧ情報取得手段が、追記するＡＶデータのサイズをあらかじめ取得しておき、追記先のディスクの残容量を取得するディスク残容量取得手段と、ディスク残容量とＡＶデータのサイズを比較し、ディスク残容量が十分に無い場合は処理を終了し、十分にある場合にはＰＧの追記処理を続行する書きこみＡＶデータサイズ比較手段とを備えたことを特徴とする。
【００４６】
このＡＶデータ複製装置は、出力先のディスクに既にデータがあって、ＰＧの複製を行う前にディスクの残容量を確認してから追記を行うようにすることで、無駄な複製処理を行わず、処理の時間を短縮することが可能である。
【００４７】
（実施の形態１）
図１は本発明の実施の形態１に係るＡＶデータ複製装置の処理の概要を示すブロック図である。
【００４８】
図１において、１１はオリジナルディスク上に記録されているオリジナルＡＶデータ管理情報ファイルであり、１２は追記先となる追記先ＡＶデータ管理情報ファイルであり、１３は既にあるＡＶデータ管理情報に別のＡＶデータ管理情報のＰＧ情報などを追記して別のＡＶデータ管理情報を作成するＡＶデータ管理情報追記手段であり、１４は追記先ＡＶデータ管理情報ファイル１２にオリジナルＡＶデータ管理情報ファイルのあるＰＧ情報を追記した結果作成される追記後ＡＶデータ管理情報ファイルであり、１５はオリジナルディスク上に記録されているオリジナルＡＶデータファイルであり、１６は追記先となる追記先ＡＶデータファイルであり、１７は既にあるＡＶデータにＡＶストリームデータを追記するＡＶデータ追記手段であり、１８は追記先ＡＶデータファイルにオリジナルＡＶデータファイルの複製するＰＧに含まれるＡＶストリームデータのみを追記した追記後ＡＶデータファイルである。
【００４９】
図１では、ＡＶデータとＡＶデータ管理情報を複製するために、その内部構成を解析して、既にあるＡＶデータ管理情報に複製したいＡＶデータ管理情報から必要なＰＧ情報を追記し、既にあるＡＶデータにＰＧの複製に必要なＡＶストリームデータを追記して、複製先のディスクへ複製している様子を表している。
【００５０】
図２は本発明の実施の形態１に係るＡＶデータ複製装置の構成を示すブロック図である。
【００５１】
図２において、１１はオリジナルディスク上に記録されているオリジナルＡＶデータ管理情報ファイルであり、２１はオリジナルＡＶデータ管理情報ファイルを読み込むＡＶデータ管理情報ファイル読みこみ手段であり、２０１はメモリ上に読み込んだ読み込みＡＶデータ管理情報であり、２２は追記したいＰＧのＩＤを設定する追記ＰＧＩＤ設定手段であり、２０２は追記するＰＧを示す追記ＰＧＩＤ情報であり、２３はＰＧのＩＤを元に追記するＰＧの情報を取得する追記ＰＧ情報取得手段であり、２０３は追記するＰＧを再生するために必要となるＡＶストリームデータのＩＤを示す追記ＡＶデータＩＤ情報であり、１５はオリジナルのディスクに記録されているオリジナルＡＶデータファイルであり、２４はオリジナルＡＶデータファイルを読み込むＡＶデータ読みこみ手段であり、２０４はメモリ上に読み込んだ読み込みＡＶデータであり、２５は出力先のディスクにＡＶデータを追記するＡＶデータ追記手段であり、２０５はディスクに書きこまれる書きこみＡＶデータであり、１８は出力先のディスクに書きこまれた追記後ＡＶデータファイルであり、２０６は追記するＰＧの情報を示す追記ＰＧ情報であり、２６はＰＧ情報を全く含まないＡＶデータ管理情報を作成するＰＧなしＡＶデータ管理情報作成手段であり、２０７はＰＧ情報を持たないＰＧなしＡＶデータ管理情報であり、２７はＰＧ情報をＰＧなしＡＶデータ管理情報２０７に追記するＰＧ情報追記手段であり、２０８はＰＧ情報を追記した後のＰＧ追記後ＡＶデータ管理情報であり、２８はＰＧの追記によりずれてしまった管理アドレスの補正を行うアドレス情報補正手段であり、２０９はアドレスを補正した後のアドレス補正ＡＶデータ管理情報であり、２９は出力先のディスクにＡＶデータ管理情報を書きこむＡＶデータ管理情報ファイル書きこみ手段であり、２１０はディスクに書きこまれる書きこみＡＶデータ管理情報であり、１４は出力先のディスクに書きこまれた追記後ＡＶデータ管理情報ファイルである。
【００５２】
次に、以上のように構成された実施の形態１のＡＶデータ複製装置の動作を図２を用いて説明する。
【００５３】
ＡＶデータ管理情報ファイル読みこみ手段２１によりメモリ上に読み込まれたオリジナルディスク上のＡＶデータ管理情報を元に、追記ＰＧＩＤ設定手段２２で設定されたＰＧのＩＤの情報を追記ＰＧ情報取得手段２３にて解析し、そのＰＧ情報を元に複製する必要のあるＡＶストリームデータのＩＤを設定して、ＡＶデータ読みこみ手段２４でオリジナルディスク中のＡＶデータからそのＡＶストリームデータを読み込み、読みこんだＡＶストリームデータをＡＶデータとしてＡＶデータ追記手段２５により出力先のディスクに追記することで、追記するＰＧの再生に必要なＡＶストリームデータを有する追記後ＡＶデータファイルを作成すると同時に、追記ＰＧ情報取得手段２３にて解析したＰＧ情報をＰＧなしＡＶデータ管理情報２０７にＰＧ情報管理部と共に追記し、アドレス情報補正手段２８によりＰＧの追記よりずれてしまったオフセット値などのアドレス情報を補正し、ＡＶデータ管理情報ファイル書きこみ手段２９により出力先のディスクに書きこんで、追記したいＰＧ情報を有する追記後ＡＶデータ管理情報ファイルを作成することで、オリジナルディスク上の任意のＰＧの管理情報とＡＶデータを有する複製ディスクを作成する。
【００５４】
以上のように実施の形態１によれば、オリジナルのディスク上の任意のＰＧを選択して、そのＰＧの再生に必要なＡＶデータだけを、別のディスクに複製を作成することが可能である。
【００５５】
（実施の形態２）
図３は本発明の実施の形態２に係るＡＶデータ複製装置の構成を示すブロック図である。
【００５６】
図３において、２７は図２で示すＰＧ情報追記手段に相当するものであり、３１は、追記するＰＧを構成するＣｅｌｌ情報を取得する追記Ｃｅｌｌ情報取得手段であり、３０１は追記するＣｅｌｌ情報に関連するＡＶストリームデータの属性情報であり、３２はＡＶストリームデータの属性を追記するＡＶデータ属性情報追記手段であり、３０２は追記する一つ以上のＣｅｌｌからなる追記Ｃｅｌｌリスト情報であり、３３はＣｅｌｌ情報を追記するＣｅｌｌ情報追記手段であり、３０３はＣｅｌｌ情報追記後のＣｅｌｌ追記後ＰＧ情報であり、３４はＣｅｌｌの追記によりＰＧ管理部に生じたアドレスのオフセットのずれ等を補正するＰＧ情報管理部補正手段である。
【００５７】
次に、以上のように構成された実施の形態２のＡＶデータ複製装置の動作を図３を用いて説明する。
【００５８】
ＰＧ情報追記手段２７に至る手順は実施形態１で説明した手順と同じであり、追記Ｃｅｌｌ情報取得手段３１にて追記するＰＧを構成する一つ以上のＣｅｌｌの情報を取得し、ＡＶデータ属性情報追記手段３２にて追記Ｃｅｌｌに関連するＡＶストリームデータの属性情報を追記し、Ｃｅｌｌ情報追記手段３３にてＣｅｌｌ情報を追記した後、ＰＧ情報管理部補正手段３４にて追記したＰＧ情報の補正を行い、以降の処理は実施の形態１に記載のＰＧ情報追記手段２７以降の手順と同じである。
【００５９】
以上のように実施の形態２によれば、複製するＰＧのＣｅｌｌの構成を解析し、複数のＣｅｌｌで構成される場合にでも正しく、別のディスクに複製を作成することが可能である。
【００６０】
（実施の形態３）
図４は本発明の実施の形態３に係るＡＶデータ複製装置の構成を示すブロック図である。
【００６１】
図４において、２７は図２で示すＰＧ情報追記手段に相当するものであり、３１は、追記するＰＧを構成するＣｅｌｌ情報を取得する追記Ｃｅｌｌ情報取得手段であり、３０１は追記するＣｅｌｌ情報に関連するＡＶストリームデータの属性情報であり、３２はＡＶストリームデータの属性を追記するＡＶデータ属性情報追記手段であり、３０２は追記する一つ以上のＣｅｌｌからなる追記Ｃｅｌｌリスト情報であり、４１は各Ｃｅｌｌにシーンの位置を示すための時間情報であるマーカ情報が付加されている場合にＣｅｌｌにマーカ情報を追記するマーカ情報追記手段であり、３３はＣｅｌｌ情報を追記するＣｅｌｌ情報追記手段であり、３０３はＣｅｌｌ情報追記後のＣｅｌｌ追記後ＰＧ情報であり、３４はＣｅｌｌの追記によりＰＧ管理部に生じたアドレスのオフセットのずれ等を補正するＰＧ情報管理部補正手段である。
【００６２】
次に、以上のように構成された実施の形態３のＡＶデータ複製装置の動作を図４を用いて説明する。
【００６３】
ＰＧ情報追記手段２７に至る手順は実施の形態１で説明した手順と同じであり、追記Ｃｅｌｌ情報取得手段３１にて追記するＰＧを構成する一つ以上のＣｅｌｌの情報を取得し、ＡＶデータ属性情報追記手段３２にて追記Ｃｅｌｌに関連するＡＶストリームデータの属性情報を追記し、マーカ情報追記手段４１にてＣｅｌｌ情報に付加されているマーカ情報を追記する場合に、ディスクに記録できるマーカの数の上限を超えない範囲でＣｅｌｌ情報にマーカ情報を追記し、Ｃｅｌｌ情報追記手段３３以降の処理は実施の形態３記載のＣｅｌｌ情報追記手段以降の手順と同じである。
【００６４】
以上のように実施の形態３によれば、複製するＰＧのＣｅｌｌの構成を解析し、Ｃｅｌｌ情報にシーンの時間情報を示すマーカ情報が含まれる場合にでも正しく、別のディスクに複製を作成することが可能である。
【００６５】
（実施の形態４）
図５は本発明の実施の形態４に係るＡＶデータ複製装置の構成を示すブロック図である。
【００６６】
図５において、２７は図２で示すＰＧ情報追記手段に相当するものであり、３１は、追記するＰＧを構成するＣｅｌｌ情報を取得する追記Ｃｅｌｌ情報取得手段であり、３０１は追記するＣｅｌｌ情報に関連するＡＶストリームデータの属性情報であり、３２はＡＶストリームデータの属性を追記するＡＶデータ属性情報追記手段であり、３０２は追記する一つ以上のＣｅｌｌからなる追記Ｃｅｌｌリスト情報であり、３３はＣｅｌｌ情報を追記するＣｅｌｌ情報追記手段であり、３０３はＣｅｌｌ情報追記後のＣｅｌｌ追記後ＰＧ情報であり、３４はＣｅｌｌの追記によりＰＧ管理部に生じたアドレスのオフセットのずれ等を補正するＰＧ情報管理部補正手段であり、５０１はＰＧの代表画像が含まれるＣｅｌｌの位置を示す追記Ｃｅｌｌ情報であり、５０２はＰＧ情報中に含まれる代表画像の位置を示すＰＧ代表画像位置情報であり、５１はＰＧの追記に伴い実際の位置からずれてしまった代表画像のＣｅｌｌの参照位置を補正する代表画像位置補正手段である。
【００６７】
次に、以上のように構成された実施の形態４のＡＶデータ複製装置の動作を図５を用いて説明する。
【００６８】
ＰＧ情報追記手段２７に至る手順は実施の形態１で説明した手順と同じであり、またＰＧ情報管理部補正手段３４に至る手順は実施の形態２で説明した手順と同じであり、代表画像位置補正手段５１にてＰＧ情報に含まれる代表画像の位置を示す位置情報を、Ｃｅｌｌ情報追記手段３３にて追記したＣｅｌｌ情報を参照して正しい位置情報に補正を行い、以降の処理は実施の形態１に記載のＰＧ情報追記手段２７以降の手順と同じである。
【００６９】
以上のように実施の形態４によれば、複製するＰＧに設定されている代表画像の位置情報を解析し、複製後のＰＧの代表画像の位置情報を補正して、別のディスクに複製を作成することが可能である。
【００７０】
（実施の形態５）
図６は本発明の実施の形態５に係るＡＶデータ複製装置の構成を示すブロック図である。
【００７１】
図６において、２７は図２で示すＰＧ情報追記手段に相当するものであり、３１は、追記するＰＧを構成するＣｅｌｌ情報を取得する追記Ｃｅｌｌ情報取得手段であり、３０１は追記するＣｅｌｌ情報に関連するＡＶストリームデータの属性情報であり、３２はＡＶストリームデータの属性を追記するＡＶデータ属性情報追記手段であり、３０２は追記する一つ以上のＣｅｌｌからなる追記Ｃｅｌｌリスト情報であり、３３はＣｅｌｌ情報を追記するＣｅｌｌ情報追記手段であり、３０３はＣｅｌｌ情報追記後のＣｅｌｌ追記後ＰＧ情報であり、６１はＰＧ情報に関連付けられているＩＴＥＭ＿ＴＥＸＴ情報が存在する場合にそのＩＴＥＭ＿ＴＥＸＴ情報を取得する追記ＩＴＥＭ＿ＴＥＸＴ情報取得手段であり、６０１は追記するＰＧ情報に関連付けられる追記ＩＴＥＭ＿ＴＥＸＴ情報であり、６２はＡＶデータ管理情報にＩＴＥＭ＿ＴＥＸＴ情報を追記するＩＴＥＭ＿ＴＥＸＴ情報追記手段であり、６０２は追記したＩＴＥＭ＿ＴＥＸＴ情報の位置を示す追記ＩＴＥＭ＿ＴＸＴ＿ＩＤ情報であり、３４はＣｅｌｌの追記によりＰＧ管理部に生じたアドレスのオフセットのずれやＩＴＥＭ＿ＴＥＸＴ情報への参照位置を補正するＰＧ情報管理部補正手段である。
【００７２】
次に、以上のように構成された実施の形態５のＡＶデータ複製装置の動作を図６を用いて説明する。
【００７３】
ＰＧ情報追記手段２７に至る手順は実施の形態１で説明した手順と同じであり、またＰＧ情報管理部補正手段３４に至る手順は実施の形態２で説明した手順と同じであり、追記するＰＧ情報に関連付けられているＩＴＥＭ＿ＴＥＸＴ情報が存在する場合、追記ＩＴＥＭ＿ＴＥＸＴ情報取得手段６１にてオリジナルのＡＶデータ管理情報よりＩＴＥＭ＿ＴＥＸＴ情報を取得し、ＩＴＥＭ＿ＴＥＸＴ情報追記手段６２にて追記先のＡＶデータ管理情報にＩＴＥＭ＿ＴＥＸＴ情報を追記し、ＰＧ情報管理部補正手段３４にてＰＧ情報管理部の補正を行う際に、追記したＩＴＥＭ＿ＴＥＸＴ情報に関する参照位置も補正を行い、以降の処理は実施の形態１に記載のＰＧ情報追記手段２７以降の手順と同じである。
【００７４】
以上のように実施の形態５によれば、複製するＰＧに設定されているジャンルやコメントなどのＩＴＥＭ＿ＴＥＸＴ情報を解析し、複製後のＰＧのＩＴＥＭ＿ＴＥＸＴ情報を追記後ＩＴＥＭ＿ＴＥＸＴ情報への参照を補正して、別のディスクに複製を作成することが可能である。
【００７５】
（実施の形態６）
図７は本発明の実施の形態６に係るＡＶデータ複製装置の構成を示すブロック図である。
【００７６】
図７において、２１はオリジナルＡＶデータ管理情報ファイルを読み込むＡＶデータ管理情報ファイル読みこみ手段であり、２０１はメモリ上に読み込んだ読み込みＡＶデータ管理情報であり、２２ａは追記したいＰＧの開始ＩＤを１として設定する追記ＰＧＩＤ設定手段（ＩＤ＝１）であり、２０２ａは追記するＰＧを示す追記ＰＧＩＤ情報（ＩＤ＝１）であり、２３はＰＧのＩＤを元に追記するＰＧの情報を取得する追記ＰＧ情報取得手段であり、２０３は追記するＰＧを再生するために必要となるＡＶストリームデータのＩＤを示す追記ＡＶデータＩＤ情報であり、２４はオリジナルＡＶデータファイルを読み込むＡＶデータ読みこみ手段であり、２０６は追記するＰＧの情報を示す追記ＰＧ情報であり、２７はＰＧ情報をＡＶデータ管理情報に追記するＰＧ情報追記手段であり、７１は追記したＰＧのＩＤとオリジナルのＡＶデータ管理情報の全ＰＧ数とを比較するＰＧＩＤ比較手段であり、２２ｂはＰＧのＩＤをを１つ増やして設定する追記ＰＧＩＤ設定手段（ＩＤ＝ＩＤ＋１）であり、２０２ｂは新たに追記するＰＧを示す追記ＰＧＩＤ情報（ＩＤ更新）である。
【００７７】
次に、以上のように構成された実施の形態６のＡＶデータ複製装置の動作を図７を用いて説明する。
【００７８】
追記ＰＧＩＤ設定手段（ＩＤ＝１）２２ａにて追記するＰＧのＩＤを先頭の１から設定するようにして、追記ＰＧ情報取得手段２３にて追記するＰＧの情報を取得後、ＡＶデータ読みこみ手段２４以降の処理でＡＶデータの読みこみ及び追記を行う手順は実施の形態１に記載のＡＶデータ読みこみ手段２４以降の手順と同じであり、ＰＧ情報追記手段２７以降の処理でＰＧ情報の追記を行う手順は実施の形態１に記載のＰＧ情報追記手段２７以降の手順と同じであり、処理の終了判定としてＰＧＩＤ比較手段７１にてオリジナルのＡＶデータ管理情報中の全ＰＧ数と比較を行い、全ＰＧの追記を終了すれば処理を終了し、それ以外の場合は追記ＰＧＩＤ設定手段（ＩＤ＝ＩＤ＋１）にて追記するＰＧのＩＤを一つ増やして、再度追記ＰＧ情報取得手段２３にてＰＧの追記読みこみ及びＰＧの追記処理を繰り返す。
【００７９】
以上のように実施の形態６によれば、繰り返しＰＧの追記を繰り返すことで、オリジナルディスク中の全てのＰＧをまとめて、別のディスクに複製を作成することが可能である。
【００８０】
（実施の形態７）
図８は本発明の実施の形態７に係るＡＶデータ複製装置の構成を示すブロック図である。
【００８１】
図８において、２３はＰＧのＩＤを元に追記するＰＧの情報を取得する追記ＰＧ情報取得手段であり、２０３は追記するＰＧを再生するために必要となるＡＶストリームデータのＩＤを示す追記ＡＶデータＩＤ情報であり、２４はオリジナルＡＶデータファイルを読み込むＡＶデータ読みこみ手段であり、２０６は追記するＰＧの情報を示す追記ＰＧ情報であり、２７はＰＧ情報をＰＧなしＡＶデータ管理情報２０７に追記するＰＧ情報追記手段であり、８０１はＡＶデータを追記するのに必要となるディスクサイズを示す書きこみＡＶデータサイズであり、８１は追記先ディスクのディスク残容量を取得するディスク残容量取得手段であり、８０２は追記先のディスク残容量サイズであり、８２は追記先のディスク残容量と追記するＡＶデータのサイズを比較する書きこみＡＶデータサイズ比較手段である。
【００８２】
次に、以上のように構成された実施の形態７のＡＶデータ複製装置の動作を図８を用いて説明する。
【００８３】
追記ＰＧ情報取得手段にて追記するＰＧ情報を取得すると共に追記するＡＶデータのサイズを取得し、ディスク残容量取得手段８１にて取得した追記先のディスクの残容量と追記するＡＶデータのサイズを書きこみＡＶデータサイズ比較手段８２にて比較を行い、ＡＶデータを追記するのに十分なディスク残容量が無い場合には処理を終了し、残容量がある場合には追記ＰＧ情報取得手段にて取得した追記ＰＧに関する情報を元にＡＶデータ読みこみ手段２４及びＰＧ情報追記手段２７以降で行う追記の処理は実施の形態１に記載の手順と同じである。
【００８４】
以上のように実施の形態７によれば、ＰＧの複製を行う前にディスクの残容量を確認してから複製を行うようにすることで、無駄な複製処理を行わず、処理の時間を短縮することが可能である。
【００８５】
（実施の形態８）
図９は本発明の実施の形態８に係るＡＶデータ複製装置の構成を示すブロック図である。
【００８６】
図９において、１１はオリジナルディスク上に記録されているオリジナルＡＶデータ管理情報ファイルであり、２１はオリジナルＡＶデータ管理情報ファイルを読み込むＡＶデータ管理情報ファイル読みこみ手段であり、２０１はメモリ上に読み込んだ読み込みＡＶデータ管理情報であり、２２は追記したいＰＧのＩＤを設定する追記ＰＧＩＤ設定手段であり、２０２は追記するＰＧを示す追記ＰＧＩＤ情報であり、２３はＰＧのＩＤを元に追記するＰＧの情報を取得する追記ＰＧ情報取得手段であり、２０３は追記するＰＧを再生するために必要となるＡＶストリームデータのＩＤを示す追記ＡＶデータＩＤ情報であり、１５はオリジナルのディスクに記録されているオリジナルＡＶデータファイルであり、２４はオリジナルＡＶデータファイルを読み込むＡＶデータ読みこみ手段であり、２０４はメモリ上に読み込んだ読み込みＡＶデータであり、１６はＡＶデータが既に存在する追記先ＡＶデータファイルであり、２５は追記先のディスクにＡＶデータを追記するＡＶデータ追記手段であり、２０５はディスクに書きこまれる書きこみＡＶデータであり、１８は追記先のディスクに書きこまれた追記後ＡＶデータファイルであり、２０６は追記するＰＧの情報を示す追記ＰＧ情報であり、１２は既にＰＧ情報がある追記先ＡＶデータ管理情報ファイルであり、９１は追記先ＡＶデータ管理情報ファイルを読みこむＡＶデータ管理情報ファイル読みこみ手段であり、９０１はメモリ上に読みこんだ追記先ＡＶデータ管理情報であり、２７はＰＧ情報を追記先ＡＶデータ管理情報９０１に追記するＰＧ情報追記手段であり、２０８はＰＧ情報を追記した後のＰＧ追記後ＡＶデータ管理情報であり、２８はＰＧの追記によりずれてしまった管理アドレスの補正を行うアドレス情報補正手段であり、２０９はアドレスを補正した後のアドレス補正ＡＶデータ管理情報であり、２９は追記先のディスクにＡＶデータ管理情報を書きこむＡＶデータ管理情報ファイル書きこみ手段であり、２１０はディスクに書きこまれる書きこみＡＶデータ管理情報であり、１４は追記先のディスクに書きこまれた追記後ＡＶデータ管理情報ファイルである。
【００８７】
次に、以上のように構成された実施の形態８のＡＶデータ複製装置の動作を図９を用いて説明する。
【００８８】
ＡＶデータ追記手段２５にてＡＶデータを追記する処理として、既にＡＶデータファイルとして存在する追記先ＡＶデータファイル１６にＡＶデータを追記する処理とし、ＰＧ情報追記手段２７にＰＧ情報を追記する処理として、既にＰＧ情報を有するＡＶデータ管理情報ファイルとして存在する追記先ＡＶデータ管理情報ファイル１２をＡＶデータ管理情報ファイル読みこみ手段９１にて読み込んだＡＶデータ管理情報に対して、ＰＧ情報の追記を行う処理とし、それ以外の処理は実施の形態１に記載の手順と同じである。
【００８９】
以上のように実施の形態８によれば、出力先のディスクに既にデータがあって、オリジナルのディスク上の任意のＰＧを選択して、そのＰＧの再生に必要なＡＶデータだけを、出力先のディスクに追記することが可能である。
【００９０】
（実施の形態９）
本発明の実施の形態９に係るＡＶデータ複製装置の構成を示すブロック図として、本実施の形態８で使用した図９に、本実施の形態２で使用した図３を組み合わせたものとして説明する。
【００９１】
ＰＧ情報追記手段２７における処理手順は実施の形態２に記載の処理手順と同じであり、追記先のディスクに既に追記先ＡＶデータ管理情報ファイル１２と追記先ＡＶデータファイル１６が存在して、それぞれに対してＰＧ情報及びＡＶデータを追記する手順は実施の形態８に記載の手順と同じである。
【００９２】
以上のように実施の形態９によれば、出力先のディスクに既にデータがあって、複製するＰＧのＣｅｌｌの構成を解析し、複数のＣｅｌｌで構成される場合にでも正しく、出力先のディスクに追記することが可能である。
【００９３】
（実施の形態１０）
本発明の実施の形態１０に係るＡＶデータ複製装置の構成を示すブロック図として、本実施の形態８で使用した図９に、本実施の形態３で使用した図４を組み合わせたものとして説明する。
【００９４】
ＰＧ情報追記手段２７における処理手順は実施の形態３に記載の処理手順と同じであり、追記先のディスクに既に追記先ＡＶデータ管理情報ファイル１２と追記先ＡＶデータファイル１６が存在して、それぞれに対してＰＧ情報及びＡＶデータを追記する手順は実施の形態８に記載の手順と同じである。
【００９５】
以上のように実施の形態１０によれば、出力先のディスクに既にデータがあって、複製するＰＧのＣｅｌｌの構成を解析し、Ｃｅｌｌ情報にシーンの時間情報を示すマーカ情報が含まれる場合にでも正しく、出力先のディスクに追記することが可能である。
【００９６】
（実施の形態１１）
本発明の実施の形態１１に係るＡＶデータ複製装置の構成を示すブロック図として、本実施の形態８で使用した図９に、本実施の形態４で使用した図５を組み合わせたものとして説明する。
【００９７】
ＰＧ情報追記手段２７における処理手順は実施の形態４に記載の処理手順と同じであり、追記先のディスクに既に追記先ＡＶデータ管理情報ファイル１２と追記先ＡＶデータファイル１６が存在して、それぞれに対してＰＧ情報及びＡＶデータを追記する手順は実施の形態８に記載の手順と同じである。
【００９８】
以上のように実施の形態１１によれば、出力先のディスクに既にデータがあって、複製するＰＧに設定されている代表画像の位置情報を解析し、複製後のＰＧの代表画像の位置情報を補正して、出力先のディスクに追記することが可能である。
【００９９】
（実施の形態１２）
本発明の実施の形態１２に係るＡＶデータ複製装置の構成を示すブロック図として、本実施の形態８で使用した図９に、本実施の形態５で使用した図６を組み合わせたものとして説明する。
【０１００】
ＰＧ情報追記手段２７における処理手順は実施の形態５に記載の処理手順と同じであり、追記先のディスクに既に追記先ＡＶデータ管理情報ファイル１２と追記先ＡＶデータファイル１６が存在して、それぞれに対してＰＧ情報及びＡＶデータを追記する手順は実施の形態８に記載の手順と同じである。
【０１０１】
以上のように実施の形態１２によれば、出力先のディスクに既にデータがあって、複製するＰＧに設定されているジャンルやコメントなどのＩＴＥＭ＿ＴＥＸＴ情報を解析し、複製後のＰＧのＩＴＥＭ＿ＴＥＸＴ情報を追記後ＩＴＥＭ＿ＴＥＸＴ情報への参照を補正して、出力先のディスクに追記することが可能である。
【０１０２】
（実施の形態１３）
本発明の実施の形態１３に係るＡＶデータ複製装置の構成を示すブロック図として、本実施の形態８で使用した図９に、本実施の形態６で使用した図７を組み合わせたものとして説明する。
【０１０３】
追記ＰＧ情報取得手段２３に至る手順およびそれ以降の手順は実施の形態６に記載の処理手順と同じであり、追記先のディスクに既に追記先ＡＶデータ管理情報ファイル１２と追記先ＡＶデータファイル１６が存在して、それぞれに対してＰＧ情報及びＡＶデータを追記する手順は実施の形態８に記載の手順と同じである。
【０１０４】
以上のように実施の形態１３によれば、出力先のディスクに既にデータがあって、繰り返しＰＧの追記を繰り返すことで、オリジナルディスク中の全てのＰＧをまとめて、出力先のディスクに追記することが可能である。
【０１０５】
（実施の形態１４）
本発明の実施の形態１４に係るＡＶデータ複製装置の構成を示すブロック図として、本実施の形態８で使用した図９に、本実施の形態７で使用した図８を組み合わせたものとして説明する。
【０１０６】
追記ＰＧ情報取得手段２３に至る手順およびそれ以降の手順は実施の形態７に記載の処理手順と同じであり、追記先のディスクに既に追記先ＡＶデータ管理情報ファイル１２と追記先ＡＶデータファイル１６が存在して、それぞれに対してＰＧ情報及びＡＶデータを追記する手順は実施の形態８に記載の手順と同じである。
【０１０７】
以上のように実施の形態１４によれば、出力先のディスクに既にデータがあって、ＰＧの複製を行う前にディスクの残容量を確認してから追記を行うようにすることで、無駄な複製処理を行わず、処理の時間を短縮することが可能である。
【０１０８】
【発明の効果】
本発明に係るＡＶデータ複製装置によれば、オリジナルディスク上の必要とするＡＶデータのみを選択して追記することで、複製に要するディスクの容量も時間も減らすことを可能とし、また出力先のディスクにデータがある場合には前のデータを残してＡＶデータを追記することが可能である。
【図面の簡単な説明】
【図１】本発明の実施の形態１に係るＡＶデータ複製装置の処理の概要を示すブロック図
【図２】本発明の実施の形態１に係るＡＶデータ複製装置の構成を示すブロック図
【図３】本発明の実施の形態２に係るＡＶデータ複製装置の構成を示すブロック図
【図４】本発明の実施の形態３に係るＡＶデータ複製装置の構成を示すブロック図
【図５】本発明の実施の形態４に係るＡＶデータ複製装置の構成を示すブロック図
【図６】本発明の実施の形態５に係るＡＶデータ複製装置の構成を示すブロック図
【図７】本発明の実施の形態６に係るＡＶデータ複製装置の構成を示すブロック図
【図８】本発明の実施の形態７に係るＡＶデータ複製装置の構成を示すブロック図
【図９】本発明の実施の形態８に係るＡＶデータ複製装置の構成を示すブロック図
【図１０】本発明で対象とするディスク全体のデータ構成を示すブロック図
【図１１】本発明で対象とするＰＧやその他管理部のデータ構成を示すブロック図
【図１２】従来の技術に係るＡＶデータ複製装置の処理の概要を示すブロック図
【図１３】従来の技術に係るＡＶデータ複製装置の構成を示すブロック図
【符号の説明】
１１  オリジナルＡＶデータ管理情報ファイル
１１ａ  複製後ＡＶデータ管理情報ファイル
１２  追記先ＡＶデータ管理情報ファイル
１３  ＡＶデータ管理情報追記手段
１４  追記後ＡＶデータ管理情報ファイル
１５  オリジナルＡＶデータファイル
１５ａ  複製後ＡＶデータファイル
１６  追記先ＡＶデータファイル
１７  ＡＶデータ追記手段
１８  追記後ＡＶデータファイル
２１  ＡＶデータ管理情報ファイル読みこみ手段
２２  追記ＰＧＩＤ設定手段
２２ａ  追記ＰＧＩＤ設定手段（ＩＤ＝１）
２２ｂ  追記ＰＧＩＤ設定手段（ＩＤ＝ＩＤ＋１）
２３  追記ＰＧ情報取得手段
２４  ＡＶデータ読みこみ手段
２５  ＡＶデータ追記手段
２６  ＰＧなしＡＶデータ管理情報作成手段
２７  ＰＧ情報追記手段
２８  アドレス情報補正手段
２９  ＡＶデータ管理情報ファイル書きこみ手段
３１  追記Ｃｅｌｌ情報取得手段
３２  ＡＶデータ属性情報追記手段
３３  Ｃｅｌｌ情報追記手段
３４  ＰＧ情報管理部補正手段
４１  マーカ情報追記手段
５１  代表画像位置補正手段
６１  追記ＩＴＥＭ＿ＴＥＸＴ情報取得手段
６２  ＩＴＥＭ＿ＴＥＸＴ情報追記手段
７１  ＰＧＩＤ比較手段
８１  ディスク残容量取得手段
８２  書きこみＡＶデータサイズ比較手段
９１  ＡＶデータ管理情報ファイル読みこみ手段
２０１  読み込みＡＶデータ管理情報
２０２  追記ＰＧＩＤ情報
２０２ａ  追記ＰＧＩＤ情報（ＩＤ＝１）
２０２ｂ  追記ＰＧＩＤ情報（ＩＤ更新）
２０３  追記ＡＶデータＩＤ情報
２０４  読み込みＡＶデータ
２０５  書きこみＡＶデータ
２０６  追記ＰＧ情報
２０７  ＰＧなしＡＶデータ管理情報
２０８  ＰＧ追記後ＡＶデータ管理情報
２０９  アドレス補正ＡＶデータ管理情報
２１０  書きこみＡＶデータ管理情報
３０１  追記ＡＶデータ属性情報
３０２  追記Ｃｅｌｌリスト情報
３０３  Ｃｅｌｌ追記後ＰＧ情報
４０１  マーカ追記後Ｃｅｌｌ情報
５０１  追記Ｃｅｌｌ情報
５０２  ＰＧ代表画像位置情報
６０１  追記ＩＴＥＭ＿ＴＥＸＴ情報
６０２  追記ＩＴＥＭ＿ＴＸＴ＿ＩＤ情報
８０１  書きこみＡＶデータサイズ
８０２  ディスク残容量サイズ
９０１  追記先ＡＶデータ管理情報
１００１  ＡＶデータ管理情報ファイル構成
１００２  ＡＶデータファイル構成
１００３  ＡＶデータ属性リンク情報
１００４  ＡＶデータストリームリンク情報
１００５  ＰＧ情報及びその他データ管理部構成
１００６  Ｃｅｌｌ属性情報
１００７  Ｃｅｌｌ属性情報及びマーカ管理情報
１００８  ＩＴＥＭ＿ＴＥＸＴ情報
１００９  ＩＴＥＭ＿ＴＥＸＴリンク情報
【図１】
0003705145.tif 000002
【図２】
0003705145.tif 000003
【図３】
0003705145.tif 000004
【図４】
0003705145.tif 000005
【図５】
0003705145.tif 000006
【図６】
0003705145.tif 000007
【図７】
0003705145.tif 000008
【図８】
0003705145.tif 000009
【図９】
0003705145.tif 000010
【図１０】
0003705145.tif 000011
【図１１】
0003705145.tif 000012
【図１２】
0003705145.tif 000013
【図１３】
0003705145.tif 000014